(57)【要約】  【課題】  壁面等に取り付けられたリモコン装置より送信される信号の照射方向を調整できる角度調整手段を設けることによって、リモコン装置の取り付け位置の制限を大幅に緩和すると共に、簡単な構成で信号の送信方向が調整できる。  【解決手段】  電気機器３より離れた位置に設置されたリモコン装置本体２と、リモコン装置本体２に設けられ、かつ信号送信ユニット１２が設けられた可動部１０ａと、可動部１０ａを回動自在に支持する支持部材１０ｃと、可動部１０ａの回動方向と直交する方向を回転中心として支持部材１０ｃを回動自在に支持する手段とを備え、可動部１０ａ及び支持部材１０ｃを回動させることにより、可動部１０ａに設けられた信号送信ユニット１２の信号送信方向を上下左右方向に調整自在としたもので、少ない部品点数で構成できるため、リモコン装置が簡単な構成で安価に提供できる。【選択図】  図５
2005223498.tif 000002
【特許請求の範囲】
【請求項１】
電気機器を遠隔制御するリモコン装置であって、前記電気機器より離れた位置に設置されたリモコン装置本体と、前記リモコン装置本体に設けられ、かつ信号送信ユニットが設けられた可動部と、前記可動部を回動自在に支持する支持部材と、前記可動部の回動方向と直交する方向を回転中心として前記支持部材を回動自在に支持する手段とを備え、前記可動部及び前記支持部材を回動させることにより、前記可動部に設けられた前記信号送信ユニットの信号送信方向を上下左右方向に調整自在としたことを特徴とするリモコン装置。
【請求項２】
前記可動部と前記支持部材をピンにより結合して、前記ピンを中心に前記可動部を回動自在に支持すると共に、前記支持部材に突設した筒状部を、前記リモコン装置本体を構成する中ケースに設けられた取り付け孔に回転自在に嵌合してなる請求項１に記載のリモコン装置。
【請求項３】
前記支持部材に、前記可動部の回動にフリクションを付与する弾性体よりなる角度保持部材を設けてなる請求項１または２に記載のリモコン装置。
【請求項４】
前記信号送信ユニットを、赤外線を発光する発光素子により形成し、かつ発光部が前記可動部の前面に露出するよう前記発光素子を前記可動部に取り付けてなる請求項１ないし３の何れかに記載のリモコン装置。
【請求項５】
前記支持部材より突設したストッパピンを、前記中ケースに形成された円弧状のガイド溝に嵌合することにより、前記可動部の回動範囲を規定してなる請求項２ないし４のいずれかに記載のリモコン装置。
【請求項６】
前記中ケースの下側に設けられた下ケースに、前記取付け孔に対応して凹部を設け、前記凹部の外周部に陸部を突設してなる請求項２乃至５のいずれかに記載のリモコン装置。
【請求項７】
前記中ケースの下側に設けられた下ケースにストッパを設け、かつ前記支持部材に設けた突条を前記ストッパに当接させることにより、前記可動部の回動範囲を規定してなる請求項２ないし４のいずれかに記載のリモコン装置。
【発明の詳細な説明】
【技術分野】
【０００１】
本発明は、主としてホームオートメーション（ＨＡ）に使用する電気機器を遠隔制御するリモコン（リモートコントロール）装置に関する。
【背景技術】
【０００２】
近年ＨＡの普及に伴い、携帯電話機等の通信端末を使用して外出先から家庭内の電気機器、例えば冷暖房装置（エアコン）や、照明器具等を遠隔制御できるようにしたシステムが実用化されている。
【０００３】
またＨＡ等に採用されている従来の遠隔制御システムは、通信端末と通信回線で接続されたテレコントローラと呼ばれる制御手段が家庭内に設置されていて、この制御手段とこれに制御される電気機器とが有線により接続されており、制御手段から電気機器へ送られる制御信号により、電気機器の動作が制御されるようになっている。例えば、エアコンの場合は、専用のコントロール端子に接続して制御信号を送受信するようになっている。また、照明器具の場合は、電源をリレー等によりＯＮ・ＯＦＦするようになっている。
【発明の開示】
【発明が解決しようとする課題】
【０００４】
しかし、最近は照明器具も赤外線リモコンによって制御するものが多く、エアコンも赤外線リモコンで制御できるため、専用のコントロール端子や電源ＯＮ・ＯＦＦ用のリレー等と有線で接続して制御するのではなく、赤外線リモコンを使用してテレコントローラから制御することが求められている。すなわち、人が手に持って操作するリモコン装置ではなく、部屋の壁面等に固定し、且つテレコントローラに接続して、電気機器を制御するリモコン装置が必要とされる。ところが、リモコン装置より送信される赤外線信号には指向性があることから、予め設置された電気機器に対してリモコン装置の取り付け位置が悪いと、リモコン装置より送信される信号に対して電気機器が正常に動作しないことや、全く動作しないことがあり、リモコン装置の取り付け場所に制限を受けるという問題がある。
【０００５】
本発明は、かかる問題を解決するために、壁面等に取り付けられたリモコン装置より送信される信号の照射方向を調整できる角度調整手段を設けることによって、リモコン装置の取り付け位置の制限を大幅に緩和することを第１の目的として案出されたものである。
【０００６】
ただ、上記のような角度調整手段として、例えば特許文献１に記載されている「ドーム型ビデオカメラ装置」のようにユニバーサルジョイント機構によりビデオカメラのパン方向を３６０°回転可能な機構を使用することが考えられる。
【特許文献１】特開２０００−２４４７８１号公報。
【０００７】
しかし前記特許文献１に記載されているユニバーサルジョイント機構は、金属により形成された多くの部品を組み合せることにより、ビデオカメラの回転方向を３６０°回転可能にした構造となっていることから、機構が複雑で、かつ小型化が困難なため、ＨＡ等に使用する電気機器を制御するリモコン装置に採用した場合、リモコン装置が大型となるため、設置するのに多くのスペースを必要とする上、リモコン装置が高価となる問題がある。
【０００８】
そこで、本発明は、第２に、このように大型で高価なリモコン装置となる点を改善するために、簡単な構成で信号の送信方向が調整できるリモコン装置を提供することを第２の目的とするものである。
【課題を解決するための手段】
【０００９】
本発明のリモコン装置は、電気機器を遠隔制御するリモコン装置であって、電気機器より離れた位置に設置されたリモコン装置本体と、リモコン装置本体に設けられ、かつ信号送信ユニットが設けられた可動部と、可動部を回動自在に支持する支持部材と、可動部の回動方向と直交する方向を回転中心として支持部材を回動自在に支持する手段とを備え、可動部及び支持部材を回動させることにより、可動部に設けられた信号送信ユニットの信号送信方向を上下左右方向に調整自在としたものである。
【００１０】
前記構成により、可動部に設けられた信号送信ユニットより送信される信号の送信方向を調整することにより、電気機器の遠隔制御が確実に行えると共に、リモコン装置を取り付ける場所に制限を受けることが少なくなるため、リモコン装置の設置作業が容易に行える。
【００１１】
また可動部を回動自在に支持する支持部材と、支持部材を回動自在に支持する手段とからなる少ない部品点数で構成できるため、リモコン装置を小型化することができ、これによって少ないスペースにも容易にリモコン装置を設置できる上、リモコン装置を安価に提供することができる。
【００１２】
本発明のリモコン装置は、可動部と支持部材をピンにより結合して、ピンを中心に可動部を回動自在に支持すると共に、支持部材に突設した筒状部を、リモコン装置本体を構成する中ケースに設けられた取り付け孔に回転自在に嵌合したものである。
【００１３】
前記構成により、少ない部品点数で可動部の角度調整が可能となる上、組み立て作業も容易となるため、製作コストの低減が図れる。
【００１４】
本発明のリモコン装置は、支持部材に、可動部の回動にフリクションを付与する弾性体よりなる角度保持部材を設けたものである。
【００１５】
前記構成により、可動部を回動する際適度のフリクションが得られるため、微調整が容易となると共に、可動部の調整位置を角度保持部材が保持するため、振動等が加わっても、調整位置がずれることも少ない。
【００１６】
本発明のリモコン装置は、信号送信ユニットを、赤外線を発光する発光素子により形成し、かつ発光部が可動部の前面に露出するよう発光素子を可動部に取り付けたものである。
【００１７】
前記構成により、可動部を回動して角度調整した際、発光素子より電気機器に向けて照射される赤外線が障害物により遮られることが少ない。
【００１８】
本発明のリモコン装置は、支持部材より突設したストッパピンを、中ケースに形成された円弧状のガイド溝に嵌合することにより、可動部の回動範囲を規定したものである。
【００１９】
前記構成により、可動部が必要以上に回動されることがないため、信号送信ユニットより延出されたハーネスが可動部を支持する支持部材等に絡むことがない。
【００２０】
本発明のリモコン装置は、中ケースの下側に設けられた下ケースに、取付け孔に対応して凹部を設け、凹部の外周部に陸部を突設したものである。
【００２１】
前記構成により、支持部材を中ケースの取り付け孔に勘合した状態を、陸部により保持することができる。
【００２２】
本発明のリモコン装置は、中ケースの下側に設けられた下ケースにストッパを設け、かつ支持部材に設けた突条をストッパに当接させることにより、可動部の回動範囲を規定したものである。
【００２３】
前記構成により、可動部が必要以上に回動されることがないため、信号送信ユニットより延出されたハーネスが可動部を支持する支持部材等に絡むことがない。
【発明の効果】
【００２４】
本発明のリモコン装置によれば、可動部に設けられた信号送信ユニットより送信される信号の送信方向を調整することができることにより、電気機器の遠隔制御が確実に行えて、リモコン装置を取り付ける場所に制限を受けることが少なくなると共に、リモコン装置の設置作業が容易に行える可動部を回動自在に支持する支持部材と、支持部材を回動自在に支持する手段とからなる少ない部品点数で構成できるため、リモコン装置を小型化することができ、これによって少ないスペースにも容易にリモコン装置を設置できる上、リモコン装置を安価に提供することができる。
【発明を実施するための最良の形態】
【００２５】
本発明の実施の形態を、図面を参照して詳述する。
【００２６】
図１はＨＡシステムの概略構成図、図２はリモコン装置の斜視図、図３及び図４はリモコン装置の上ケースを外した状態の斜視図、図５はリモコン装置を分解した状態の表面側の斜視図、図６は同裏面側の斜視図、図７は支持部材を拡大して描画した斜視図、図８は下ケースの裏面に取り付け金具を取り付ける状態を示す斜視図、図９は可動部と信号送信ユニットの分解斜視図、図１０は角度調整手段の分解斜視図、図１１ないし図１４は作用説明図である。
【００２７】
図１は家庭内に設置されたＨＡシステムを示すもので、通信端末（図示せず）と通信回線により接続されたテレコントローラである制御手段１が家庭内の任意な場所に設置されており、家庭内の各部屋に設けられたリモコン装置本体２とケーブル７により接続されている。
【００２８】
各部屋に設けられたリモコン装置本体２は、各部屋に設けられた例えば照明機器やエアコン等の電気機器３の動作を例えば赤外線信号により遠隔制御するもので、赤外線信号を遮断する障害物がない場所、例えば壁面等に取り付けられている。
【００２９】
リモコン装置本体２は図２以下に示すように、樹脂により成形された上ケース４と中ケース５及び下ケース６とを有していて、これらを互に嵌合することにより図２に示すように一体化できるようになっている。
【００３０】
上ケース４は長方形状の前面部４ａと、その周辺部に連設された側面部４ｂとからなり、前面部４ａに円形状の窓孔４ｃが開口されていて、この窓孔４ｃに透明な樹脂により成形された半球状の透明カバー４ｄが嵌着されている。
【００３１】
中ケース５は上ケース４で覆えるように、上ケース４の側面部４ｂ内に嵌合自在な側面部５ｂが前面部５ａの周辺部に連設された形状となっていて、上ケース４ａの窓孔４ｃと合致する位置に、ほぼ同径の円形状凹部５ｃが形成されており、凹部５ｃに隣接する前面部５ａには、制御手段１とリモコン装置本体２の間を接続するケーブル７の端部を取り付ける接続端子８と、各種の設定を行う設定スイッチ９及びケーブル７の端部を引き込むケーブル引き込み孔５ｆが図３に示すように設けられている。接続端子８と設定スイッチ９は、図６に示すように中ケース５の裏面に取り付けられた機能基板１３に実装されて表に出てきている部品である。
【００３２】
中ケース５の凹部５ｃ底面には、図５に示すように底面のほぼ中心部が半円形で、かつその外周部に角孔が連続する形状の取り付け孔５ｄと、取り付け孔５ｄの半円形部と同心円の円弧状ガイド溝５ｅが形成されており、これら取り付け孔５ｄとガイド溝５ｅに角度調整手段１０が取り付けられている。
【００３３】
角度調整手段１０は、電気機器３の動作を制御する信号の送信角度（照射方向）を調整するためのもので、図１０に示すように上ケース４の窓孔４ｃより小径な可動部１０ａと、可動部１０ａの裏面に突設された支持部１０ｂを支持する支持部材１０ｃとからなる。
【００３４】
可動部１０ａは前面が球面状となっていて、可動部１０ａの前面に複数、例えば３個の発光孔１０ｄが形成されており、基板１２aに発光素子１２ｂが実装された信号送信ユニット１２を図９に示すように、可動部１０ａの裏面側にビス等の固着具１２ｃで取り付けることにより、信号送信ユニット１２に設けられた発光素子１２ｂの発光部が発光孔１０ｄより可動部１０ａの前面に突出するようになっていると共に、信号送信ユニット１２は、中ケース５の裏面に取り付けられた機能基板１３にハーネス１４により接続されている。
【００３５】
可動部１０ａの裏面に突設されたほぼ角筒状の支持部１０ｂには、対向位置に嵌合孔１０ｅが形成されていて、これら嵌合孔１０ｅに支持部材１０ｃの支持腕１０ｆより突設されたピン１０ｇを嵌合することにより、ピン１０ｇを中心に可動部１０ａがほぼ４５°回転自在となっている。
【００３６】
支持部材１０ｃは、図１０に示すようにほぼ半円形の平板１０ｈに、中心を挟んで対向するように一対の支持腕１０ｆが突設されていて、これら支持腕１０ｆの先端部に互に対向するようピン１０ｇが突設されている。
【００３７】
支持腕１０ｆの基部には、シリコンゴム等の弾性体よりなる角度保持部材１１が埋め込まれていて、この角度保持部材１１は支持部１０ｂの端部に形成されたピン１０ｇを中心とする円弧状部１０ｎに圧接されており、これによって可動部１０ａを回動した際適度のフリクションが得られるようになっていると共に、角度保持部材１１と円弧状部１０ｎとの摩擦により可動部１０ａを角度調整位置に保持できるようになっている。
【００３８】
平板１０ｈの支持腕１０ｆが突設された面と反対側の面には、図６に示すように可動部１０ａの回転中心を中心とする筒状部１０ｉが突設されていて、この筒状部１０ｉの外周面が中ケース５の凹部５ｃに形成された取り付け孔５ｄの内面に摺接しながら、可動部１０ａがほぼ１８０°回転できるようになっており、筒状部１０ｉの先端側外周面には、取り付け孔５ｄの外周縁に下側より係合することにより、筒状部１０ｉが取り付け孔５ｄより抜け外れるのを防止する係止突条１０ｊが突設されている。
【００３９】
平板１０ｈには、中ケース５に形成されたガイド溝５ｅの半径方向に弾性片１０ｋが形成されていて、この弾性片１０ｋの先端に突設されたストッパピン１０ｍがガイド溝５ｅに嵌合されており、これによって可動部１０ａの回動範囲がほぼ１８０°に規制されている。
【００４０】
一方上ケース４の側面部４ｂの内側には、図４に示すように係止爪４ｆが突設され、中ケース５の側面部５ｂの外側にも同様な係止爪５ｈが突設されていて、これら係止爪４ｆ，５ｈを中ケース５の側面部５ｂに形成された係止孔と上ケース４の側面部４ｂに形成された係止孔（ともに図示せず）に係止することにより、中ケース５に対して上ケース４を係止できるようになっており、中ケース５の裏面側に下ケース６が取り付けられている。
【００４１】
下ケース６は図５に示すように、可動部１０ａの回転中心位置に、中ケース５の取り付け孔５ｄに対応して取り付け孔５ｄとほぼ同じ大きさの円形の凹部６ｃと、この凹部６ｃと外周部に連続する横長な凹段部６ｄが前面部６ａに形成されており、前面部６ａの周辺部に、中ケース５の側面部５ｂとほぼ同寸法の側面部６ｂが連設されている。
【００４２】
円形に形成された凹部６ｃの外周部には、中ケース５に形成された取り付け孔５ｄの角孔部を塞ぐように円弧状の陸部６ｅが突設されていて、取り付け孔５ｄ内に嵌合された角度調整手段１０の筒状部１０ｉが取り付け孔５ｄより抜け外れないよう筒状部１０ｉの移動を規制している。
【００４３】
下ケース６の前面部６ａには、中ケース５に形成されたケーブル引き込み孔５ｆと合致する位置にケーブル引き込み孔６ｆが形成されていて、壁面や天井面に引き出されたケーブル７がリモコン装置本体２内へ引き込めるようになっており、下ケース６の一端側角部には、中ケース５より突設されたフック状の係止爪５ｇが係合する係止孔６ｇが形成され、他端側の角部には、一対の取り付け孔６ｈが形成されている。
【００４４】
下ケース６の取り付け孔６ｈは、機能基板１３の一端側に設けられた取り付け孔１３ａと、中ケース５の裏面側に突設されたボス５ｈと合致していて、下ケース６の係止孔６ｇに中ケース５の係止爪５ｈを係止した状態で、下ケース６の取り付け孔６ｈより挿入したビス等の固着具１６を、機能基板１３の取り付け孔１３ａを経て中ケース５のボス５ｈに螺挿することにより、中ケース５と下ケース６及び機能基板１３が互いに固定できるようになっている。
【００４５】
機能基板１３には、制御手段１より送られてきた制御信号に応じて信号送信ユニット１２の発光素子１２ｂを発光させる電気部品１３ｂや、信号送信ユニット１２より延出されたハーネス１４を接続するコネクタ（図示せず）等が実装されている。また、前述したように、機能基板１３には、制御手段１とリモコン装置本体２の間を接続するケーブル７の端部を取り付ける接続端子８と各種の設定を行う設定スイッチ９が実装されている。
【００４６】
下ケース６の裏面側には、壁面等より引き出されたケーブル７の余長部を巻き取るケーブル巻き取り爪６ｉや、リモコン装置本体２を壁面に取り付けるための取り付け金具１５を係止する係止溝６ｊが形成されている。
【００４７】
次に前記構成されたリモコン装置の作用を説明する。
【００４８】
リモコン装置本体２により動作が制御される電気機器３は、家庭内の各部屋に設置されており、これら電気機器３の動作を制御するに当っては、各電気機器３の設置された部屋の壁面等にリモコン装置本体２を取り付ける。
【００４９】
リモコン装置本体２の取り付けに当っては、信号送信ユニット１２の発光素子１２ｂより照射される赤外線が遮断されることがない場所なら、設置位置に制限を受けることがない。
【００５０】
リモコン装置本体２の取り付け位置が決まったら、まず取り付け位置より制御手段１とリモコン装置本体２を接続するケーブル７を配線し、またその位置に取り付け金具１５を固着する。
【００５１】
またリモコン装置本体２は、中ケース５の取り付け孔５ｄより角度調整手段１０の筒状部１０ｉを挿入して、取り付け孔５ｄの半円状部に筒状部１０ｉを嵌合し、この状態で中ケース５の裏面に下ケース６を係合して、下ケース６の取り付け孔６ｈより挿入した固着具１６を機能基板１３の取り付け孔１３ａを経て中ケース５のボス５ｈへ螺挿することにより、中ケース５と下ケース６及び機能基板１３を予め組み立てておく。
【００５２】
次にケーブル７の端末を下ケース６のケーブル引き込み孔６ｆよりリモコン装置本体２内へ引き込んで、ケーブル７の端部を中ケース５に設けられた接続端子８へと接続し、同時に設定スイッチ９によりリモコンモード等の所定の設定を行う。
【００５３】
以上のようにしてリモコン装置本体２にケーブル７を接続したら、予め壁面に取り付けておいた取り付け金具１５に、下ケース６の裏面に形成された係止溝６ｊを係止して、壁面に中ケース５及び下ケース６を取り付ける。
【００５４】
そしてこの状態で角度調整手段１０により信号送信ユニット１２の照射方向の調整を行う。
【００５５】
角度調整手段１０の可動部１０ａに取り付けられた信号送信ユニット１２の発光素子１２ｂは、光軸が電気機器３の受光窓（図示せず）と一直線状になったときにもっとも受信感度はよいが、発光素子１２ｂの照射角度には幅がある上、可動部１０ａに複数の発光素子１２ｂが取り付けられているため、発光素子１２ｂの赤外線照射方向を電気機器３に向けるだけで十分である。
【００５６】
照射方向の調整に当っては、まず可動部１０ａを角度調整手段１０のピン１０ｇを中心に図１１及び図１２に示すように回動して可動部１０ａを傾斜させ、この状態で可動部１０ａの前面が電気機器３の方向へ向うように筒状部１０ｉを軸にして可動部１０ａを図３に示すように左右方向へ回動させる。
【００５７】
可動部１０ａの前面が電気機器３方向へ向いたら、再度ピン１０ｇを中心に可動部１０ａを微動させて角度の微調整を行うもので、このとき可動部１０ａの裏面に突設された支持部１０ｂの円弧状部１０ｎに弾性圧接された角度保持部材１１によりその位置に保持されるため、角度調整後リモコン装置本体２に振動等が加わっても調整位置がずれることがない。
【００５８】
以上のようにして信号送信ユニット１２の角度調整が完了したら、図１４に示すように中ケース５の上面に上ケース４を嵌着するもので、上ケース４に設けられた半球状の透明カバー４ｄ内に信号送信ユニット１２が位置するため、発光素子１２ｂより照射される赤外線が電気機器３へ到着するのを上ケース４が妨げることもなく、リモコン装置により電気機器３の動作を確実に制御できるようになる。
【００５９】
なお図１５及び図１６は、角度調整手段１０の可動部１０ａの回動角を規制する手段の変形例を示すもので、下ケース６の円形凹部６ｃ内に図１６に示すようにストッパ１０ｐを突設すると共に、角度調整手段１０の平板１０ｈ側に、可動部１０ａの回動中心を中心とする円弧状の係止突条１０ｊを突設したもので、可動部１０ａを回動した際、係止突条１０ｊの端部がストッパ１０ｐに当接することにより、可動部１０ａの回動角をほぼ１８０°に規制するようになっており、この変形例によれば円弧状のガイド溝５ｅやストッパピン１０ｍを省略することができる。
【産業上の利用可能性】
【００６０】
本発明のリモコン装置は、可動部に設けられた信号送信ユニットより送信される信号の送信方向を調整することができることにより、電気機器の遠隔制御が確実に行えて、リモコン装置を取り付ける場所に制限を受けることが少なくなると共に、リモコン装置の設置作業が容易に行える可動部を回動自在に支持する支持部材と、支持部材を回動自在に支持する手段とからなる少ない部品点数で構成できるため、リモコン装置を小型化することができ、これによって少ないスペースにも容易にリモコン装置を設置できる上、リモコン装置を安価に提供することができるため、ＨＡに使用する電気機器を遠隔制御するリモコン装置等に好適である。
【図面の簡単な説明】
【００６１】
【図１】本発明の実施の形態になるリモコン装置を使用したＨＡシステムを示す構成図
【図２】本発明の実施の形態になるリモコン装置の斜視図
【図３】本発明の実施の形態になるリモコン装置の上ケースを取り除いた状態を示す斜視図
【図４】本発明の実施の形態になるリモコン装置の上ケースを外した状態を示す斜視図
【図５】本発明の実施の形態になるリモコン装置の上面側の分解斜視図
【図６】本発明の実施の形態になるリモコン装置の裏面側の分解斜視図
【図７】本発明の実施の形態になるリモコン装置を構成する支持部材を拡大して描画した斜視図
【図８】本発明の実施の形態になるリモコン装置を金属金具に取り付ける状態を示す斜視図
【図９】本発明の実施の形態になるリモコン装置の信号送信ユニットを示す分解斜視図
【図１０】本発明の実施の形態になるリモコン装置の角度調整手段を示す分解斜視図
【図１１】本発明の実施の形態になるリモコン装置の作用を示す説明図
【図１２】本発明の実施の形態になるリモコン装置の作用を示す説明図
【図１３】本発明の実施の形態になるリモコン装置の作用を示す説明図
【図１４】本発明の実施の形態になるリモコン装置の作用を示す説明図
【図１５】本発明の実施の形態になるリモコン装置の変形例を示す説明図
【図１６】本発明の実施の形態になるリモコン装置の変形例を示す説明図
【符号の説明】
【００６２】
２      リモコン装置本体
３      電気機器
５      中ケース
５ｄ    取り付け孔
５ｅ    ガイド溝
６      下ケース
６ｃ    凹部
６ｅ    陸部
１０ａ    可動部
１０ｃ    支持部材
１０ｇ    ピン
１０ｉ    筒状部
１０ｊ    係止突条
１０ｍ    ストッパピン
１０ｐ    ストッパ
１１      角度保持部材
１２      信号送信ユニット
１２ｂ    発光素子
【図１】
2005223498.tif 000003
【図２】
2005223498.tif 000004
【図３】
2005223498.tif 000005
【図４】
2005223498.tif 000006
【図５】
2005223498.tif 000007
【図６】
2005223498.tif 000008
【図７】
2005223498.tif 000009
【図８】
2005223498.tif 000010
【図９】
2005223498.tif 000011
【図１０】
2005223498.tif 000012
【図１１】
2005223498.tif 000013
【図１２】
2005223498.tif 000014
【図１３】
2005223498.tif 000015
【図１４】
2005223498.tif 000016
【図１５】
2005223498.tif 000017
【図１６】
2005223498.tif 000018